(57)【特許請求の範囲】
【請求項１】
回転可能な車輪を備えた基部と、
基部に対して上下移動かつ前後回動自在に取り付けられるとともに、所定位置にて固定可能な操作部と、
前記基部に対して一体に備えられる荷物載せ部を少なくとも含み、
前記基部には前記基部に対して所定角度傾斜した長尺の溝部が形成されており、
前記操作部は、その下端側よりも上方位置に軸部を貫通して備えるとともに、その軸部を前記基部に設けた前記溝部に遊びを持たせて取り付けることで、前記溝部の長手方向に移動自在であるとともに、前記軸部を中心にして前後方向に回動自在に構成されており、
前記基部には、
前記操作部の下端を着脱自在に固定し、前記所定角度で、前記操作部が後方に向けて傾いている状態を維持する固定部と、
前記固定部から抜き外して後方に回動させた前記操作部を受け、前記操作部を所定の傾斜状態で支持する支点部と、を備えており、
前記荷物載せ部は、前記操作部の下端を前記基部の固定部に固定させた状態で所定角度傾斜して備えられ、
前記操作部の軸部位置から下端までの距離は、前記溝部にそって軸部を上方に移動させる長さであることを特徴とするキャリーカー。
【請求項２】
前記荷物載せ部に載せる荷物は、テントの支柱に配されてテントを所定位置に固定させるウエイトであって、前記ウエイトには前記支柱を嵌めるスリットが設けられており、
前記荷物載せ部は、前記ウエイトのスリットより大きい幅を有するスリットを備えていることを特徴とする請求項１に記載のキャリーカー。
【請求項３】
前記荷物載せ部は、前記ウエイトを載せる載せ面部と、前記載せ面部の後端から鉛直方向に一体に立ち上げ形成される背面部とで構成されていることを特徴とする請求項２に記載のキャリーカー。
【発明の詳細な説明】
【技術分野】
【０００１】
本発明は、キャリーカーに係り、特に重量のあるテント抑え用のウエイト（以下、ウエイトという。）を積載するキャリーカーの構造に関する。
【背景技術】
【０００２】
昨今、パイプテントの設営の際には、風でテントが飛ばされないように支柱にウエイトをのせるように推奨されている。各支柱には、通常、１個で１５ｋｇ〜２０ｋｇのウエイトを最低でも２個程度置くことになるが、一般的に重量のあるものを所定の場所まで運ぶ際には、リアカーなどの四輪運搬車が利用されている。
しかし、パイプテントの設営場所は、例えば、河川敷や校庭あるいはイベント会場などが多く路面が舗装整備されていなかったり、路面段差や高低差のある場所が多数存在していたりすることが多かった。また、このような設営場所では、パイプテントの荷物などを積んだ車を近くまで寄せることができず、離れた駐車場などに停めて、そこから運搬車などを使用してウエイトなどを運ばなければならない場合があった。
このような状況下において、リアカーなどの四輪運搬車では小回りが利かず、取り回しが悪かったため作業性があまり良くなかった。
そこで、四輪運搬車に代えて特許文献１及び非特許文献１などに開示の二輪運搬車が提案されている。
【０００３】
特許文献１及び非特許文献１に開示の二輪運搬車であるキャリーカー（二輪式のキャリーカーともいう。）は、運搬物を積載する平板状の載せ部と、載せ部の後端から鉛直方向に一体に立ち上げ形成され、使用者（運搬者）が握持して運搬操作することのできる操作部（ハンドル）とによって側面視でＬ字状に形成されたキャリーカー本体と、このキャリーカー本体の下端に取り付けられた一対の車輪とで構成されている。
【先行技術文献】
【特許文献】
【０００４】
【特許文献１】実開平２−１１５７５８号公報
【非特許文献】
【０００５】
【非特許文献１】ＴＲＵＳＣＯ/トラスコ中山、アルミ二輪運搬車  Ｈ１２６０、２０１４年７月１０日、[平成２６年７月１０日]、インターネット、＜URL：http://www.trusco.co.jp/protool/Catalog.do?lcc＝F&mcc＝05&scc＝11＞
【発明の概要】
【発明が解決しようとする課題】
【０００６】
従来の二輪式のキャリーカーは、ウエイト運搬専用に提供されているものはなく、例えばプロパンガスのボンベなど、丈のある荷物を運搬するために提供されているものが多く、載せ部と操作部とが溶接などでＬ字状に固定されている構造となっていた。この種の二輪式キャリーカーが側面視でＬ字状に形成されていたのには次のような理由があった。
【０００７】
すなわち、ボンベなどは立った状態のまま載せるため、ボンベなどを載せ部に積み込む際には、載せ部下面が地面に接していた方（載せ部と地面が平行）が積み込み易い。そして、運搬時には、鉛直方向に立っている状態の操作部を下げて、地面から約４５度の角度にして運搬するのが操作し易い。また、操作部をこの程度の角度に傾斜させると、載せ部も地面から４５度程度傾斜した状態となるため、ボンベなどの荷物が操作部側に寄りかかった状態で、かつ載せ部と操作部で抱え込むようにして運搬可能であるため、ボンベなどの丈のある荷物が前方に倒れて落下してしまうという不具合も生じ難い。
従って、この種の二輪式のキャリーカーにあっては、先行技術のように側面視でＬ字状に形成されているものであった。
【０００８】
しかし、運搬対象物がウエイトの場合にあっては、従来の二輪式キャリーカーでは操作性（使い勝手）の面で改良の余地を多分に残していたものである。
例えば、従来の二輪式キャリーカーの場合、ウエイトをパイプテントの支柱の近傍まで運搬した後は、テント設営担当者がウエイトを一つずつ持ち上げて支柱の元に嵌め込んで設置する必要がある。
このとき、一個当たり約２０ｋｇ程度もあるウエイトを、テント設営担当者が一つずつ持ち上げて支柱の元に嵌め込んで設置するのは、成人男性であっても労力が多大であった。すなわち、前述の通り、一つの支柱毎に２個のウエイトを設置するとなると、一つのテントが少なくとも４本の支柱を持っているとして計算しても、合計で約１６０ｋｇのウエイトを手作業で持ち上げて設置する作業をすることとなり、女性や高齢者にあっては対応し得ないこともあり得た。
【０００９】
また、設営場所がたとえ近距離であったとしても、このような手作業でウエイトを運搬することとなると、誤ってウエイトを落下させて足などを怪我する虞もあった。さらに、パイプテントの種類によっては支柱が６本、８本と多いものであれば、労力および危険度が増すことが想定される。
【００１０】
一方、パイプテントの近傍までウエイトを運搬した後、キャリーカーを前後に揺さぶって載せ部に載せていたウエイトを支柱の元へとずり落とすことで、テント設営担当者が手でウエイトを持ち上げないでも支柱の元に設置する方法も考えられる。
しかし、このような作業は大変面倒であるとともにキャリーカーを揺さぶる作業に多大なる労力を要していた。また、前後の揺さぶり作業をする際に、キャリーカーの操作部がパイプテントの支柱など周辺の部材にぶつかったりすることもあり大変危険であった。
【００１１】
本発明は、このような問題を解決するためになされており、その目的は、重量のあるウエイトを積み下ろしする際の操作をし易くして作業労力を削減するとともに、作業中にウエイトの落下などによる怪我を防止するキャリーカーを提供することにある。
【課題を解決するための手段】
【００１２】
このような目的を達成するために、第１の発明のキャリーカーは、回転可能な車輪を備えた基部と、基部に対して上下移動かつ前後回動自在に取り付けられるとともに、所定位置にて固定可能な操作部と、前記基部に対して一体に備えられる荷物載せ部を少なくとも含み、前記基部には前記基部に対して所定角度傾斜した長尺の溝部が形成されており、前記操作部は、その下端側よりも上方位置に軸部を貫通して備えるとともに、その軸部を前記基部に設けた前記溝部に遊びを持たせて取り付けることで、前記溝部の長手方向に移動自在であるとともに、前記軸部を中心にして前後方向に回動自在に構成されており、前記基部には、前記操作部の下端を着脱自在に固定し、前記所定角度で、前記操作部が後方に向けて傾いている状態を維持する固定部と、前記固定部から抜き外して後方に回動させた前記操作部を受け、前記操作部を所定の傾斜状態で支持する支点部と、を備えており、前記荷物載せ部は、前記操作部の下端を前記基部の固定部に固定させた状態で所定角度傾斜して備えられ、前記操作部の軸部位置から下端までの距離は、前記溝部にそって軸部を上方に移動させる長さであることを特徴としている。
第２の発明は、第１の発明において、前記荷物載せ部に載せる荷物は、テントの支柱に配されてテントを所定位置に固定させるウエイトであって、前記ウエイトには前記支柱を嵌めるスリットが設けられており、前記荷物載せ部は、前記ウエイトのスリットより大きい幅を有する載せ部側スリットを備えていることを特徴とするキャリーカーとしたことである。
第３の発明は、第２の発明において、前記荷物載せ部は、前記ウエイトを載せる載せ面部と、前記載せ面部の後端から鉛直方向に一体に立ち上げ形成される背面部とで構成されているキャリーカーであるとしたことである。
【発明の効果】
【００１３】
本発明によれば、テント支柱に配してテントを所定位置に固定するウエイトを運搬し、運搬する際の作業労力を削減するとともに、ウエイトの運搬中の落下で操作者の怪我を防止するキャリーカーを提供することができる。
【図面の簡単な説明】
【００１４】
【図１】本発明の一実施形態に係るキャリーカーを示す全体斜視図である。
【図２】本発明の要部を一部省略して示す概略図で、（ａ）は、操作部下端が固定部に固定されている状態、（ｂ）は、操作部を固定部から外して基部に対して上昇作動させた状態、（ｃ）は、（ｂ）の状態から操作部を後方に回動させて操作部を寝かせた状態を示す。
【図３】ウエイトをキャリーカーに載せる場面からテント支柱に設置する場面までの一連の流れを示す概略図で、（ａ）は操作部を後方へと回動させ、ウエイトを載せ部に載せる前の状態を示し、（ｂ）は（ａ）の状態からキャリーカーを前進させて載せ部上にウエイトを載せている状態を示し、（ｃ）は（ｂ）の状態から操作部を前方へと回動させるとともに、操作部の先端を固定部に差し込んだ状態を示し、（ｄ）は（ｃ）の状態から操作部を後方へと傾斜させてウエイトを載せた載せ部を地面から離間させて運搬している状態を示し、（ｅ）はテント支柱近傍までキャリーカーで運搬してきた状態を示し、（ｆ）は載せ部側スリットとウエイトのスリットを支柱に嵌め込み、かつ操作部を上方へと上昇作動させるとともに固定部から外した状態を示し、（ｇ）は（ｆ）の状態から操作部を後方へと回動させている状態を示し、（ｈ）は（ｇ）の状態から操作部を持ってキャリーカーを後方へと引き抜いてウエイトを支柱に設置した状態を示す。
【図４】本発明の他の実施形態に係り、操作部の下端を略逆Ｕ字形状の溝に沿って移動させる状態を示す図である。
【発明を実施するための形態】
【００１５】
以下、本発明の一実施形態に係るキャリーカーについて、図を参照して説明する。
本実施形態のキャリーカーは、図１に示すように、回転可能な車輪４を備えた基部２と、基部２と一体に成形された荷物載せ部２６と、基部２に対して上下移動かつ前後回動自在に取り付けられるとともに、所定位置にて固定可能な操作部３とで構成されている。
本実施形態では、テントの支柱に配してテントを所定位置に固定するウエイトを運搬するウエイト運搬用のキャリーカーをその使用の一実施形態としている。
【００１６】
基部２は、横長平板状に形成され、所定の間隔をあけて並設された一対のサイドプレート２ａ，２ａと、前記一対のサイドプレート２ａ，２ａ間にわたって架け渡された横板２ｂとで構成されており、前記一対のサイプレート２ａ，２ｂ間に荷物載せ部２６を一体に備えている。
サイドプレート２ａは、後端側２ｃが鉛直方向で幅広に形成され、先端側２ｄに行くにしたがって鉛直方向で幅狭に形成されている。また、先端側２ｄ，２ｄは後述する荷物載せ部２６の両側面２４，２４として機能している（図１参照。）。
【００１７】
荷物載せ部２６は、載せ面部２６ａと、載せ面部２６ａの後端から鉛直方向に一体に立ち上げ形成される背面部２５とで構成されている（図１参照。）。
【００１８】
載せ面部２６ａは、平面視で矩形状の平坦板部２６ｂと、前記平坦板部２６ｂの前端から所定間隔をあけて並設される左右の爪部２６ｃ，２６ｃを備え、左右の爪部２６ｃ，２６ｃ間には載せ面部２６ａ側のスリット２７が形成されている（図１参照。）。
なお、載せ面部２６ａの大きさは、ウエイト６の径よりも大きい横幅を有しており、縦幅にあっては、ウエイト６の径よりも大きくてもよいが、ウエイト６が前方に落下しない程度の幅であればウエイト６の径より小さくてもよい。
載せ面部２６ａ側のスリット２７を設けた理由は、ウエイト６のスリットをパイプテントの支柱に嵌め込むときに、載せ面部２６ａにウエイト６を載せた状態のまま、そのスリットに支柱を嵌め入れるためであり、そのためにはウエイト６のスリットと鉛直方向で連通する載せ面部側のスリット２７が必要となってくる。
前記サイドプレート２ａの下端縁と、載せ面部２６ａの平坦板部２６ｂの下端縁及び爪部２６ｃの下端縁は、一直線上に配設されるように構成されている（図１及び図２（ａ）参照。）。
【００１９】
背面部２５は、断面視で略Ｌ字型に形成され、平坦板部２６ｂの後端から鉛直方向に一体に立ち上げ形成されるとともに、前記サイドプレート２ａ，２ａのそれぞれの内面に一体に固定されて配設される一対の縦枠部２５ａ，２５ａと、前記縦枠部２５ａ，２５ａ間にわたって架け渡される横板２５ｂ，２５ｂで構成されている（図１参照。）。
【００２０】
少なくとも、基部２及び荷物載せ部２６は、運搬対象となるウエイト６が重量物であるため、変形しにくい鉄などの金属製で形成されている。
また、載せ面部２６ａには、上述のとおり、両側面２４、２４が備えられるとともに、背面部２５が立ち上げ形成されているため、運搬の際に道路面のデコボコで車輪４が傾くなどによる何らかの衝撃があっても、荷物載せ部２６からウエイト６が落下して怪我をしないように安全性を担保することができる。
【００２１】
基部２は、後述する操作部３の下端を固定する固定部２２を備えている。
【００２２】
固定部２２は、基部２を構成する左右のサイドプレート２ａ，２ａのそれぞれの後端側２ｃ，２ｃの外面にそれぞれ一つずつ一体的に備えられ、操作部３の嵌脱部３ａ，３ａが出し入れ可能な筒状に形成されている。
【００２３】
固定部２２は、操作部３の嵌脱部３ａを嵌め入れて操作部３を基部２（載せ面部２６ａ）に対して固定した状態としたときに、基部２（載せ面部２６ａ）と操作部３とで略Ｌ字形状に構成されるのではなく、基部２に対して所定角度で、操作部３が後方に向けて傾いている状態を維持し得るようにしている。
【００２４】
例えば、サイドプレート２ａの後端側２ｃの下端縁から垂直方向に延びる仮想垂直線Ａ上に操作部３が位置している状態が従来のキャリーカー（非特許文献１のキャリーカー）の如く略Ｌ字形状の固定タイプであると仮定した場合、本実施形態では、この仮想垂直線Ａから約２０度後方に傾いて操作部３が固定部２２によって維持されるように固定部２２の配設角度を考慮して構成されている（図２（ａ）参照。）。すなわち、固定部２２の開口２２ａ側を仮想垂直線Ａ方向に向けるのではなく、仮想垂直線ａから後方にずれた方向に向けて固定部２２を配設するようにする。
【００２５】
このように固定部２２を所定角度傾斜させて配設することにより、この種のウエイトを運搬する際の操作者の操作性及び安全性に寄与するものである。
すなわち、操作者がキャリーカー１を操作する際に最適な角度は、操作部が地面から約６０度後方に傾いた状態である。本実施形態の場合、この状態でキャリーカー１を押し引き操作するとき、載せ面部２６ａは地面と略水平状態か、水平状態よりも多少後方に向けて傾いた状態、言い換えると、載せ面部の先端（爪部２６ｃの先端２６ｄ）が多少上がっている状態（図３（ｄ）参照。）となる。仮に、略Ｌ字形状に固定されている先行技術のような場合にあっては、載せ面部２６ａの傾き（後方への傾斜）がきつくなり、運搬時の衝撃などによっては、操作部３の方向にウエイト６が倒れこんでしまう虞も考えられる。
しかし、本実施形態の状態でウエイト６を運搬することができれば、載せ面部２６ａの傾斜もきつくないため、安定してウエイト６を運搬することができる。
なお、この固定部２２は、重量のあるウエイト６を運搬する際に、操作部３が基部２と確実に嵌合することによって、キャリーカー１が安定することができる。
また、図２（ａ）に示す所定角度Ｄは、本実施例において約２０度に傾けて取り付けているが、操作者の身長の高低により角度を変えても構わない。例えば、身長が低い操作者にとって、操作者側により大きく傾けることにより操作し易いものとなる。
【００２６】
そして、基部２のサイドプレート２ａの後端側２ｃには、前記所定角度Ｄの方向、すなわち固定部２２の開口が向いている方向の延長線上に沿って長尺の溝部２１が形成されており、この長尺の溝部２１を介して操作部３が揺動可能（上下移動可能・回動可能）に取り付けられている。
長尺の溝部２１は、サイドプレート２ａの外内面にわたって貫通して設けられており、操作部３を上昇移動させ、嵌脱部３ａが固定部２２から脱し、嵌脱部３ａの下端が固定部２２の開口２２ａ近傍に位置したときに上昇位置が上限となるように設定し、かつ操作部３を下降移動させ、嵌脱部３ａが固定部内に嵌ったときに下降位置が下限となるように設定されている（図２参照。）。
すなわち、後述する操作部３の軸部２３位置から嵌脱部３ａの下端までの距離が溝部２１にそって軸部２３を上下可能な長さである。
【００２７】
操作部３は、所定間隔をあけて平行する二つの縦棒３１，３１と、縦棒３１，３１の間に一定間隔毎に架け渡される横板３２，３２とで構成されている。また、縦棒３１の上方にはＬ字状に折り曲げた取っ手部３３を一体に設けており、縦棒３１の下方には軸部２３と、軸部２３よりも下方の縦棒領域を、前記固定部２２内に嵌脱可能な嵌脱部３ａ，３ａとして構成している。
【００２８】
操作部３は、基部２に対して上下移動でき（図２（ｂ）の矢印の方向）、かつ前後回動自在（図２（ｃ）の矢印の方向）に取り付けられるとともに、所定位置２２にて固定可能（図２（ａ）の状態）に構成されている。
その構成は、下端側の嵌脱部３ａよりも上方位置に軸部２３を貫通して備えるとともに、その軸部２３を基部２に設けた溝部２１に遊びを持たせて取り付けることで、溝部２１の長手方向に移動自在であるとともに、軸部２３を中心にして前後方向に回動自在となる。また、軸部２３は本実施形態ではボルトとナットを想定している。
なお、操作部３の下端を固定部２２の開口２２ａに滑らかに挿入できるように、操作部３の嵌脱部３ａの下端と固定部２２の開口２２ａとの距離を短くしている。当該距離が長いと、操作部３の嵌脱部３ａの可動範囲が大きくなって、固定部２２の挿入位置に合わせるのに手間取るからである。
【００２９】
特に限定解釈されるものではないが、操作部３の下端には、固定部２２の孔部分と接触する範囲をグリース或いはゴム樹脂で被膜することにより摩擦抵抗が減少して、さらに円滑な挿入が可能となる。これによって、ウエイト６の運搬作業が効率的になると共に、キャリーカー１の老朽化も防ぐことができる。
本実施例においては、縦棒３１は鉄などの中空の金属製パイプを用いて、キャリーカー１の重量を軽くすると共に、持ち手が丸みを持つことによって操作し易くしている。なお、縦棒３１は金属製パイプでなく、無垢の金属製フレームであっても本実施例の範囲内である。
【００３０】
車輪４は、基部２と操作部３の両側近傍に車軸４１を介して取り付けられ、回転可能となっている。車輪４は、本実施例では、ゴム製の空気圧タイヤや無垢のゴム製（若しくは合成樹脂製）タイヤを用いている。
また、荷物載せ部２６を持ち上げるときには、操作部３の取っ手部３３を鉛直方向に押すと（図２（ｃ）の矢印の方向）、車軸４１が支点となって作用して、荷物載せ部２６が上方向（鉛直方向の反対側）を向くことになる。
【００３１】
ウエイト６は、円形や長方形板のものが多く用いられているが特に限定解釈されるものではない。例えば本実施形態では、短尺円柱状に形成され、側周面には持ち運ぶ際に手指を入れる貫通しない横孔が設けられ、底面には地面と一部のみが接するようにした窪みが設けられ、そして表面から裏面にわたって貫通し、かつ側周面に向かって貫通して切り欠かれたテントの支柱が入るためのスリットが設けられている形態を想定している。
例えば、溶融亜鉛メッキ又はペンキ塗装されたφ２５０×９０ｈの鋳鉄製で、スリット幅が５１ｍｍ、重量が１５Ｋｇから２０Ｋｇのウエイトが一例として挙げられる。
載せ面部２６ａ側のスリット２１の大きさは、ウエイト６のスリット部分より大きくて、ウイエト６が載せ面部側のスリット２１から落下しない大きさであれば良い。また、このような構成を採用することによって、載せ面部２６ａの面積も少なくなり経済的であり、デザイン的にもシャープな形状を有している。
ウエイト６は、一つの支柱に対して、通常、２個程度配するが、強風であるときは３個かそれ以上の数を配すれば良く、天候状況に応じて適宜変更可能である。
【００３２】
図３を用いて、ウエイト６をキャリーカー１に載せる場面からテント支柱５に設定する場面までの一連の流れについて、順次説明をする。
先ず、図３（ａ）は、これから運搬するウエイト６をキャリーカー１に載せる準備のため場面である。ここでは、操作者がウエイト６に向かう矢印方向にキャリーカー１を移動させ易くするために、操作部３の下端の嵌脱部３ａを固定部２２から抜いて軸部２３を中心として後方（操作者側手前）へと回動させた図２（ｃ）の状態となっている。これによって、操作者は操作部３が鉛直方向に立脚している姿勢よりも傾斜した姿勢の方がキャリーカー１の押し出しが容易となる。
【００３３】
図３（ｂ）は、ウエイト６の底面にキャリーカー１の荷物載せ部２６を矢印方向に差し込んだ状態で、ウエイト６を持ち上げる前の場面である。ここでは、荷物載せ部２６をウエイト６の底面に挿入させた場合、ウエイト６の自重作用が働き大きく動くことはない。なお、ウエイト６の底面に荷物載せ部２６を挿入できる窪みが無いウエイトを運搬する場合には、手作業でウエイト６をキャリーカー１に載せても良い。
【００３４】
図３（ｃ）は、ウエイト６を荷物載せ部２６に載せ終わったら、軸部２３を中心に操作部３を前方（反操作者側）へと回動させて略鉛直方向に立脚させ、そのまま操作部３の嵌脱部３ａを固定部２２の開口２２ａから孔部分に挿入（図面内の矢印の方向）している場面である。これにより、操作部３は固定部２２内に嵌合されて基部２（載せ面部２６ａ）と一体化して安定する。この場合、図２（ａ）で示す状態になっている。
【００３５】
図３（ｄ）は、ウエイト６を荷物載せ部２６に載せ終わっているので、操作部３を後方（操作者側手前）に倒し、地面からウエイト６を持ち上げている（図面内の矢印の方向）場面である。操作部３が図３（ｂ）の傾斜した状態のままでなく、立脚した状態の方がウエイト６を持ち上げるに際に操作者の力を効率的に使うことができるからである。この後、操作者は、ウエイト６を持ち運びができる状態になったので、キャリーカー１でウエイト６を設営場所に運搬移動する。
操作者がキャリーカー１を操作する際に最適な角度は、操図３（ｄ）に示すような操作部３が地面から約６０度後方に傾いた状態である。この状態でキャリーカーを押し引き操作するとき、載せ面部２６ａは水平状態よりも多少後方に向けて傾いた状態、言い換えると、載せ面部２６ａの先端（爪部２６ｃの先端２６ｄ）が多少上がっている状態（図３（ｄ）参照。）となり、載せ面部２６ａの傾斜もきつくないため、安定してウエイトを運搬することができる。
【００３６】
図３（ｅ）は、設営場所におけるテントの支柱５の手前に位置するキャリーカー１の場面である。ここでは、荷物載せ部２６にウエイト６を載せたまま、テント支柱５までキャリーカー１を図面内の矢印の方向に進めて行く。
【００３７】
図３（ｆ）は、荷物載せ部２６のスリットに沿って、ウエイト６のスリット中心部がテントの支柱５に接するまでキャリーカー１を進めた後、ウエイト６を荷物載せ部２６からテントの支柱５に設置するための場面である。ここでは、ウエイト６のスリット中心部がテントの支柱５と接するまで進めた後、操作部３を上方向（矢印の方向）に持ち上げて、固定部２２に嵌合している操作部３の嵌脱部３ａを脱する操作を行う。この場合、図２（ｂ）で示す状態になっている。これは、操作部３が立脚した状態から傾斜した状態に変えて、その後の操作である荷物載せ部２６からウエイト６を積みおろす姿勢にするためである。この操作は、ウエイト６の自重でキャリーカー１が保持されているため、当該操作は無理なく行うことできる。
【００３８】
図３（ｇ）は、テントの支柱５にウエイト６を残したまま、荷物載せ部２６を引き抜く前の場面である。操作者が引き抜き易いように、立脚している操作部３を、軸部２３を中心として操作者の手前側（矢印の方向）に所定角度に傾斜させる。この場合、図２（ｃ）で示す状態になっている。
【００３９】
図３（ｈ）は、テントの支柱５にウエイト６を残したまま、荷物載せ部２６を引き抜いた後の場面である。引き抜くには、矢印方向にキャリーカー１を一気に引っ張ると慣性の法則により、ウエイト６は荷物載せ部２６上を滑って、テントの支柱５にウエイト６をそのままの状態で残すことができる。そして、ウエイト６はテント支柱受台（図示しない）の上に多段に積み重なりあって重しの役目をすることになる。
【００４０】
なお、テントの撤収時には、テントの支柱５に配設されているウエイト６を図３（ａ）の状態から図３（ｄ）の状態と同じ動作を繰り返すことで、載せ面部２６ａにウエイトを載せてキャリーカー１にて運搬することとなる。
「その他の実施形態」
【００４１】
上述した本実施形態では、基部２に縦方向に長尺の溝部２１を設けているが、図４に示す略逆Ｕ字形状の溝部２８でも構わない。
この場合、操作部３の下端を略逆Ｕ字形状の溝に沿って移動させて用いる。ここでは、溝部２１と異なる動きについてのみ説明する。
キャリーカー１の操作部３を傾斜させる場合には、車軸４１とは遠い距離にある略逆Ｕ字形状の溝（図４の軸部２３の位置がある溝）の端部に移動させ、車軸４１と接するように操作部３を傾斜させる。これにより、車軸４１が支点として作用して、ウエイト６を載せた荷物載せ部２６の先端を持ち上げることができる。キャリーカー１の操作部３を立脚させる場合には、車軸４１とは近い距離にある略逆Ｕ字形状の溝（図４の軸部２３ではない側の溝）の端部に移動させ、車軸４１と接するように操作部３を傾斜させる。
すなわち、溝部２１は直線状の溝部分を軸部２３が移動して、所定の角度を形成させるが、溝２８では略逆Ｕ字形状の溝部分を軸部２３が移動して、車軸４１との距離を可変することによって、所定の角度を形成させる構造となっているのである。この構造であれば、固定部２２を有する必要がなく、簡単な構造で所定角度を得られ、操作性が良くなる効果が得られる。
【００４２】
なお、上述した実施例は、本発明を説明するための最良の実施例であるだけで、本発明の特徴および内容を制限するものではなく、本発明に関連する技術手段、本発明に基づく他の創作は全て本発明の範囲に属するものとする。
【産業上の利用可能性】
【００４３】
本実施形態では、テントの支柱に配されてテントが風によって飛ばされないようにするウエイトを運搬するウエイト運搬用のキャリーカーについて一例を挙げて説明したが、本発明は他の荷物を運搬する他のキャリーカーであっても可能で、本発明の範囲内で適宜他の形態に利用可能である。
【符号の説明】
【００４４】
１    キャリーカー
２    基部
３    操作部
４    車輪
６    ウエイト
２１   溝部
２２  固定部
２３  軸部
２６  荷物載せ部
２８  溝部
３１  縦棒
３３  取っ手部
４１  車軸
【図１】
0006470519.tif 000002
【図２】
0006470519.tif 000003
【図３】
0006470519.tif 000004
【図４】
0006470519.tif 000005